(57)【要約】【課題】  トイレの窓のレイアウトの自由度を確保しつつ、便器内の破封を抑制することができる通気弁を備えたカウンタ収納及びトイレ室を提供する。【解決手段】  カウンタ収納１は、建物の上階に設けられるトイレ室２に設置され、当該トイレ室２に隣接する外壁５に沿って形成されるカウンタ収納１であって、隔壁１３に隔てられた第一収納室１４と第二収納室１５とを備え、前記第一収納室１４は床面から排水竪管９に連通する鉛直通気管１０が延びて収納されており、鉛直通気管１０の上端に管内が負圧のときに開放される通気弁１２が設けられる。【選択図】図１
2020051198.tif 000002
【特許請求の範囲】
【請求項１】
建物の上階に設けられるトイレ室に設置され、当該トイレ室に隣接する外壁に沿って形成されるカウンタ収納であって、
隔壁に隔てられた第一収納室と第二収納室とを備え、
前記第一収納室は床面から排水竪管に連通する鉛直通気管が延びて収納されており、前記鉛直通気管の上端に管内が負圧のときに開放される通気弁が設けられることを特徴とするカウンタ収納。
【請求項２】
前記鉛直通気管は、前記排水竪管と略同一の内径であり、前記排水竪管に鉛直方向に直線的に接続されることを特徴とする請求項１に記載のカウンタ収納。
【請求項３】
前記第一収納室へ外部から空気を供給する空気供給部が形成されることを特徴とする請求項１又は請求項２に記載のカウンタ収納。
【請求項４】
前記第一収納室の上面に開閉可能に形成される第一天板と、前記第二収納室の上面に開閉可能に形成される第二天板とを更に備え、
前記第二収納室から前記第一収納室に向かって、前記鉛直通気管又は前記通気弁を修繕又は交換するための工具を挿入可能な挿入孔が、前記隔壁に形成されることを特徴とする請求項１から請求項３のいずれかに記載のカウンタ収納。
【請求項５】
請求項１から請求項４のいずれかのカウンタ収納を備えるとともに、
前記外壁の前記カウンタ収納の上方における前記外壁の幅方向の中央に開口部が形成されることを特徴とするトイレ室。
【発明の詳細な説明】
【技術分野】
【０００１】
本発明は、建物の上階に設けられるトイレ室に設置されるカウンタ収納及び、当該カウンタ収納を備えるトイレ室に関する。
【背景技術】
【０００２】
従来より、例えば住宅などの建物の２階以上にトイレ室を設ける場合、上階から下階に向かって汚物を水とともに排出するための排水竪管が設けられることとなる。このような排水竪管に汚物が落下する際にはサイフォンの原理によって、排水竪管内に負圧が発生し、便器内の封水が引かれて破封が生ずる可能性がある。
【０００３】
そこで、排水竪管内に負圧が発生することを防止するために、排水竪管内に連通する通気管を天井裏などに立ち上げ、その先端に管内が負圧のときに開放される通気弁を設けて、排水竪管内に空気を導入して排水竪管の負圧を抑制し、便器内の破封を防止している。
【０００４】
しかし、天井裏まで通気管を延ばす場合には、通気管を通すパイプスペースが必要となり、窓や内装のレイアウトの自由度を下げる問題がある。そこで、排水竪管に連通する通気管を外壁内の空間に延ばして形成することで通気管を外壁内に収納して、内装のレイアウトの自由度を高めたもの（特許文献１参照）や、便器のタンク部の一部を空洞にし、当該空洞に通気管を収納することで、便器のタンクに収納したもの（特許文献２参照）が提案されている。
【先行技術文献】
【特許文献】
【０００５】
【特許文献１】特開２００１−１３２８６３号公報
【特許文献２】特開２００２−１６７８３４号公報
【発明の概要】
【発明が解決しようとする課題】
【０００６】
しかし、外壁内の空間やタンク内の空洞に通気管を収納する場合、これらの空間や空洞の大きさに限りがあるため、通気管を排水竪管よりも小径にする必要があり、排水竪管に十分な空気を導入できないおそれがある。また、排水竪管と通気管の位置が同軸状に直線的に配置することができず枝状に配置されることになり、折れ曲がった部分が形成されることから、スムーズな空気の導入が困難となる。
【０００７】
そして、排水竪管への空気の導入が十分でなければ、排水竪管に負圧が発生することを十分に抑制できず、便器の破封を防ぐことができないおそれがある。
【０００８】
そこで、本発明は、トイレの窓のレイアウトの自由度を確保しつつ、便器内の破封を抑制することができる通気弁を備えたカウンタ収納及びトイレ室を提供することを目的とする。
【課題を解決するための手段】
【０００９】
本発明のカウンタ収納は、建物の上階に設けられるトイレ室に設置され、当該トイレ室に隣接する外壁に沿って形成されるカウンタ収納であって、隔壁に隔てられた第一収納室と第二収納室とを備え、前記第一収納室は床面から排水竪管に連通する鉛直通気管が延びて収納されており、鉛直通気管の上端に管内が負圧のときに開放される通気弁が設けられることを特徴としている。
【００１０】
本発明のカウンタ収納は、前記鉛直通気管は、前記排水竪管と略同一の内径であり、排水竪管に鉛直方向に直線的に接続されることを特徴としている。
【００１１】
本発明のカウンタ収納は、前記第一収納室へ外部から空気を供給する空気供給部が形成されることを特徴としている。
【００１２】
本発明のカウンタ収納は、前記第一収納室の上面に開閉可能に形成される第一天板と、前記第二収納室の上面に開閉可能に形成される第二天板とを更に備え、前記第二収納室から前記第一収納室に、前記鉛直通気管又は前記通気弁を修繕又は交換するための工具を挿入可能な挿入孔が、前記隔壁に形成されることを特徴としている。
【００１３】
本発明のトイレ室は、上記いずれかのカウンタ収納を備えるとともに、前記外壁の前記カウンタ収納の上方における前記外壁の幅方向の中央に開口部が形成されることを特徴としている。
【発明の効果】
【００１４】
本発明のカウンタ収納によると、トイレ室の外壁に沿って形成されるカウンタ収納の第一収納室に排水竪管から連通する鉛直通気管及び通気弁を収納するので、鉛直通気管及び通気弁を外部に露出させることなく配置することができるとともに、カウンタ収納内に収納されることで、通気弁の上部に配置されるカウンタの天板が棚として利用可能となる。また、例えば外壁内やトイレタンクに空洞を形成する必要がないので外壁の厚さやトイレタンクの大きさを大きくする必要がない。
【００１５】
本発明のカウンタ収納によると、鉛直通気管は、排水竪管と略同一の内径であり、排水竪管に鉛直方向に直線的に接続されるので、鉛直通気管を通った空気を排水竪管にスムーズに導入することができ、便器の排水時などに排水竪管内の負圧が大きくなることを防止して、便器の破封を防止することができる。
【００１６】
本発明のカウンタ収納によると、第一収納室へ外部から空気を供給する空気供給部が形成されるので、通気弁を介して鉛直通気管に空気を導入するときに、第一収納室の気圧が低下して、鉛直通気管に十分な空気が導入できないことを抑制することができる。
【００１７】
本発明のカウンタ収納によると、鉛直通気管及び通気弁が収納された第一収納室の上面に開閉可能な第一天板が形成されるので、通気弁や鉛直通気管を簡単にメンテナンスすることができる。また、第二収納室の上面に開閉可能な第二天板が形成されており、且つ、隔壁に挿入孔が形成されていることで、第二収納室の内部に収納された物品や第二収納室の内部に設けられた棚等と取り外すことで、第二収納室から挿入孔を介して第一収納室の内部に工具を挿入することができるので、横方向から工具を操作する必要がある場合にも通気弁や鉛直通気管を簡単にメンテナンスすることができる。例えば、通気弁を交換する際には、鉛直通気管を切断可能な鋸工具の鋸刃を挿入孔から第一収納室に挿入して、第二収納室内の鋸工具のグリップを押し引きすることで、簡単に鉛直通気管の上端部を切断して交換することができる。
【００１８】
本発明のトイレ室によると、外壁のカウンタ収納の上方における外壁の幅方向の中央に開口部が形成されるので、パイプスペースなどが形成されて幅方向の中央に開口部が形成されない場合に比べて、バランスの良い開口部の配置とすることができる。
【図面の簡単な説明】
【００１９】
【図１】トイレ室の全体構成を説明する水平断面図。
【図２】カウンタ収納の内部を説明するトイレ室の一部省略拡大断面図。
【図３】トイレ室の開口部の位置を説明する正面から見た断面図。
【図４】建物内のトイレ室の配置及び排水経路を説明する断面図。
【図５】カウンタ収納の内部構成を説明する正面から見た鉛直断面図。
【図６】図５のＡ−Ａ線断面図。
【図７】図５のＢ−Ｂ線断面図。
【図８】図５のＣ−Ｃ線断面図。
【図９】カウンタ収納の正面板を除いた斜視図。
【図１０】通気弁及び鉛直通気管のメンテナンスの工程を示す図であり、カウンタ収納から第一天板及び第二天板を取り外す状態を示す図。
【図１１】通気弁及び鉛直通気管のメンテナンスの工程を示す図であり、カウンタ収納から上棚板を取り外す状態を示す図。
【発明を実施するための形態】
【００２０】
以下、本発明に係るカウンタ収納１及びトイレ室２の実施形態について各図を参照しつつ説明する。本実施形態のカウンタ収納１及びトイレ室２は、例えば集合住宅に配置される。なお、本発明のカウンタ収納１及びトイレ室２は、集合住宅に限定されるものではなく、戸建住宅やその他の用途の建物に用いても良い。
【００２１】
トイレ室２は、図１及び図２に示すように、少なくとも一方の面が外壁５に沿うように配置されている。本実施形態においては、トイレ室２は便器４の背面側の壁が外壁５となっている。なお、便器４の背面側とはトイレ利用者が洋式便座に腰掛けた際に背面となる側である。トイレ室２の外壁５と反対側にはトイレ室２に出入りするドア６が設けられている。外壁５の屋内側には外壁５に沿ってカウンタ収納１が設けられている。カウンタ収納１は、トイレ室２の内装材７に例えば図示しないビスで固定される造作家具である。図３に示すように、外壁５のカウンタ収納１の高さよりも上には開口部８が形成されている。開口部８は、例えば引き違いの窓である。開口部８は、トイレ室２における外壁５の幅方向の中央に設けられる。
【００２２】
本実施形態におけるカウンタ収納１を設けるトイレ室２は、図４に示すように、３階建ての建物の３階に設けられている。なお、トイレ室２は２階以上の階層に設けられるものであれば、最上階に設けられるものに限定されるものではない。本実施形態においては、１階、２階、及び３階にそれぞれトイレ室２，３が上下方向に重なる位置に設けられている。トイレ室２，３は、上下方向に重なるものに限定されるものではないが、トイレ室２，３が重なった配置の場合には、排水経路を単純にすることができ、排水竪管９の設置やメンテナンスのコストを低減させることができる。
【００２３】
本実施形態の排水竪管９には、３階のトイレ室２の便器４の排水経路と２階のトイレ室３の便器４の排水経路とが１本の排水竪管９に連通している。また、１階のトイレ室３の便器４の排水経路は別系統となっている。なお、１階の排水経路が３階のトイレ室２及び２階のトイレ室３の便器４の排水経路と合流するものであっても良い。排水竪管９は内径１００ｍｍの薄肉塩化ビニル製である。排水竪管９は長手方向が鉛直方向を向くように形成されている。排水竪管９には３階及び２階の便器４の図示しないトラップに連通する排水接続管２８がそれぞれ合流している。
【００２４】
排水竪管９の上部には、図４から図６に示すように、排水竪管９に空気を導入する鉛直通気管１０が形成されている。鉛直通気管１０は排水竪管９と同じ内径１００ｍｍの薄肉塩化ビニル製であり、排水竪管９と鉛直通気管１０とは直線的に同軸状に配置されている。このように鉛直通気管１０が排水竪管９と略同径で且つ鉛直方向に直線的に同軸状に配置されることで、鉛直通気管１０に導入された空気がスムーズに排水竪管９に供給されることとなり、排水竪管９内の負圧の発生を効果的に抑制できる。排水竪管９と鉛直通気管１０とは物理的に分離可能でなくてもよく、３階のトイレ室２の便器４に連通する排水接続管２８との合流部１１よりも上方が鉛直通気管１０であり、当該合流部１１よりも下方が排水竪管９である。
【００２５】
鉛直通気管１０の上端には、通気弁１２が形成されている。通気弁１２の詳細は、図示を省略するが、弁体と弁座とを有し、鉛直通気管１０の外の空気に対する鉛直通気管１０内の負圧により弁体が弁座から離れて空気を鉛直通気管１０内に導入するとともに、鉛直通気管１０の外の空気に対する鉛直通気管１０内が正圧の場合に弁体が弁座に着座して閉塞し、鉛直通気管１０内の空気を外部に漏出させない弁である。通気弁１２の高さ位置は、便器４の溢水高さよりも高く、且つ、カウンタ収納１に収納可能な高さである。
【００２６】
カウンタ収納１は、図１及び図３に示すように、外壁５に沿って形成された略直方体形状であり、図５に示すように、隔壁１３に隔てられた第一収納室１４と第二収納室１５とを備える。カウンタ収納１の幅は、トイレ室２の幅とほぼ等しく形成されている。第一収納室１４には、鉛直通気管１０及び通気弁１２が収納される。また、第二収納室１５の内部は、上棚板１６で上下に隔てられており、下部空間の中間部に中間板１７が立設されて、下部空間を左右に隔てている。下部空間のうち隔壁１３に隣接する一方空間には、物品が収納されておらず、他方の空間には更に下棚板１８が形成されて、掃除用具１９や芳香剤のリフィル２０、予備のトイレットペーパー２１などが収納されている。
【００２７】
隔壁１３には、図７及び図９に示すように、第一収納室１４と第二収納室１５とを連通する挿入孔２２が形成されている。挿入孔２２は、高さ方向の長さが５１０ｍｍで、奥行き方向の長さが１６５ｍｍの矩形の孔であり、第二収納室１５から挿入した通気弁１２及び鉛直通気管１０をメンテナンスするための工具の一部を挿入して、第一収納室１４内の通気弁１２又は鉛直通気管１０に届かせるものである。
【００２８】
カウンタ収納１の前面は、前面板２３により閉塞されており、図２に示すように、第二収納室１５側の一部が蝶番で固定されて開閉可能な開き戸２４となっている。カウンタ収納１の前側には便器４のタンクが配置されているので、便器４と干渉することがない一部のみが開き戸２４となっている。また、カウンタ収納１は、図９及び図１０に示すように、第一収納室１４の上面に第一天板２５を備えるとともに、第二収納室１５の上面に第二天板２６を備える。第一天板２５及び第二天板２６はそれぞれ第一収納室１４及び第二収納室１５を開閉可能な構成となっている。なお、図１０においては第一天板２５及び第二天板２６がそれぞれカウンタ収納１から取り外し可能な構成となっているが、例えば第一天板２５又は第二天板２６が蝶番によって開閉可能な構成であってもよい。
【００２９】
カウンタ収納１は第一収納室１４へ外部から空気を供給可能な空気供給部２７を有する。空気供給部２７は、図６に示すように、カウンタ収納１の外部と、第一収納室１４とを連通する孔又は間隙である。空気供給部２７は、通気弁１２を介して鉛直通気管１０に第一収納室１４内の空気が導入されたときに、第一収納室１４内にカウンタ収納１の外部から空気を取り入れる。空気供給部２７は、例えば図６（Ｂ）に示すように、第一収納室１４の前面板２３の下端と、床から延びる化粧材との間に設けられた幅７ｍｍの間隙である。空気供給部２７は、一箇所に限られず、図８に示すように、カウンタ収納１の第一収納室１４に側板が設けられていないことによって前面板２３と間仕切壁との間に形成された幅３ｍｍの間隙も空気供給部２７である。また、図６（Ａ）に示すように、前面板２３と第一天板２５との間にも空気供給部２７は形成される。なお、本発明の空気供給部２７はこれに限定されるものではなく、例えば前面板２３にスリット状の格子を設けてもよいし、天板や外壁５側に間隙を形成してもよい。
【００３０】
空気供給部２７が供給する必要がある単位時間当たりの必要通気量は、排水竪管９内にサイフォン現象が発生することを抑制するために、通気弁１２から鉛直通気管１０に導入する空気の量に等しい。具体的には、必要通気量は、排水横主管の負荷流量の４倍となる。また、空気供給部２７の必要断面積は、上記の負荷流量とＳＨＡＳＥ(The Society of Heating, Air-Conditioning and Sanitary Engineers of Japan)の通気損失線図に基づいて算出される。例えば排水横主管の管径が１００ｍｍである場合に、空気供給部２７の必要通気量は１０．８Ｌ／秒となり、必要断面積は３５２３ｍｍ２となる。したがって、空気供給部２７の外部に開いた面積の合計は少なくとも３５２３ｍｍ２が必要であり、本実施形態においては、空気供給部２７は外部に向かって６０００ｍｍ２以上の面積が開かれている。
【００３１】
このように空気供給部２７が必要断面積よりも十分に大きく外部に開口することで、例えば空気供給部２７の一部がトイレ室２の用品によって塞がれた場合や塵埃が詰まった場合でも、十分な空気を第一収納室１４に供給することができる。また、第一収納室１４は挿入孔２２を介して第二収納室１５に連通しているので、第一収納室１４は第二収納室１５からも空気を取り入れることができ、空気供給部２７の一部が塞がれるなどの不具合があった場合でも、第一収納室１４に通気弁１２から鉛直通気管１０に導入する必要な量の空気を取り入れることができ、排水竪管９が許容限界以下の負圧となることを確実に防止できる。
【００３２】
通気弁１２及び鉛直通気管１０をメンテナンスする際には、図１０に示すように、まず、第一天板２５を開いて第一収納室１４を上方に開放するとともに、第二天板２６を開いて第二収納室１５を上方に開放する。なお、図１０及び図１１においては図示の都合上、前面板２３を記載していないが、実際には前面板２３によってカウンタ収納１の前面が閉じられている。そして、図１１に示すように、上棚板１６の上に載置されている物品を取り除いて、更に、上棚板１６を取り除く。
【００３３】
このようにすると、隔壁１３に形成された挿入孔２２が外部に露出することになり、例えば、通気弁１２を交換する際には、鋸工具の鋸刃を第二収納室１５から挿入孔２２を介して第一収納室１４に挿入することで、鉛直通気管１０を水平に切断することができ、鉛直通気管１０の上端部と通気弁１２とを取り除いて、新たなジョイント間を介して新たな通気弁１２を取り付けることが出来る。
【００３４】
本実施形態のトイレ室２は、天井までのパイプスペースを延ばす必要がないので、第一天板２５の上にトイレ室２の用品を載置することもでき、また、外壁５のカウンタ収納１の上方における外壁５の幅方向の中央に開口部８が形成することができるので、バランスの良い開口部８の配置とすることができる。
【００３５】
本発明の実施の形態は上述の形態に限ることなく、本発明の思想の範囲を逸脱しない範囲で適宜変更することができることは云うまでもない。
【産業上の利用可能性】
【００３６】
本発明に係るカウンタ収納１及びトイレ室２は、例えば集合住宅の上階に設けられるトイレ室２に設置されるカウンタ収納１及びトイレ室２として好適である。
【符号の説明】
【００３７】
１      カウンタ収納
２      トイレ室
５      外壁
８      開口部
９      排水竪管
１０    鉛直通気管
１２    通気弁
１３    隔壁
１４    第一収納室
１５    第二収納室
２２    挿入孔
２５    第一天板
２６    第二天板
【図１】
2020051198.tif 000003
【図２】
2020051198.tif 000004
【図３】
2020051198.tif 000005
【図４】
2020051198.tif 000006
【図５】
2020051198.tif 000007
【図６】
2020051198.tif 000008
【図７】
2020051198.tif 000009
【図８】
2020051198.tif 000010
【図９】
2020051198.tif 000011
【図１０】
2020051198.tif 000012
【図１１】
2020051198.tif 000013